【事件の表示】
　平成５年特許願第３３９０５８号「表示装置」拒絶査定不服審判事件〔平成７年６月２３日出願公開、特開平７−１６０２３０号〕について、次のとおり審決する。
【結　論】
　本件審判の請求は、成り立たない。
【理　由】
第１　手続の経緯
　本件は、平成５年１２月３日にされた特許出願（平成５年特許願第３３９０５８号）につき拒絶査定が平成１３年８月３日付けで（同月１４日発送）されたため、この拒絶査定に対する審判が同年９月１４日に請求されるとともに手続補正書が同年１０月５日に提出され、前置審査において同年１２月１３日付けで拒絶の理由が通知（同月２５日発送）されたところ、平成１４年２月５日に意見書が提出されたものである。
　
第２　本件出願に係る発明
　本件出願の請求項に係る発明は、平成１０年２月３日付け手続補正書、平成１２年９月２９日付け手続補正書及び平成１３年１０月５日付け手続補正書により補正された明細書及び図面の記載からみて、その特許請求の範囲の請求項１から５までに記載された次のとおりのものである。
「【請求項１】走査電極群と情報電極群によってマトリクス状に画素を構成する液晶表示パネルと、
　該液晶表示パネルを背面から照射するバックライトと、
　該液晶表示パネルで表示すべき画像情報を記憶する画像情報記憶手段と、
　該画像情報記憶手段に記憶されている画像情報が変更されたことを検出する変更検出手段と、
　該画像情報記憶手段に記憶されている画像情報に基づき走査電極群に走査信号を印加し、また、情報電極群に情報信号を印加する駆動手段および該駆動手段を制御する駆動制御手段とを具備し、
　該変更検出手段は、それぞれ異なって設定された画像情報変更の検出時間に応じて、異なる通知信号をそれぞれ該駆動制御手段とバックライトコントローラへ出力し、該駆動制御手段は、前記異なる通知信号に基づいて、該液晶表示パネルへの走査信号および情報信号の印加を停止させ、該バックライトコントローラが前記バックライトを消灯させることを特徴とする表示装置。
　【請求項２】駆動制御手段は、変更検出手段による一定期間画像情報が変更されない検出結果に応じて駆動手段とバックライトを制御して、液晶表示パネルへの走査信号および情報信号の印加を停止させ、かつバックライトを消灯させるとともに、変更検出手段による画像情報が変更された検出結果に応じて駆動手段とバックライトを制御して、バックライトを点灯し走査信号および情報信号の印加を再開させるものであることを特徴とする請求項１記載の表示装置。
　【請求項３】駆動制御手段は、変更検出手段による一定期間画像情報が変更されない検出結果に応じて駆動手段とバックライトを制御して、液晶表示パネルへの走査信号および情報信号の印加を停止させ、表示パネル上の表示を消去する信号を印加し、かつバックライトを消灯させる、請求項１または２に記載の表示装置。
　【請求項４】駆動制御手段は、変更検出手段による一定期間画像情報が変更されない検出結果に応じて駆動手段とバックライトを制御して、画像情報に基づいた液晶表示パネルへの走査信号および情報信号の印加を停止させ、そのときの表示状態のままでバックライトを消灯させる、請求項１または２に記載の表示装置。
　【請求項５】該液晶はメモリ性を有する液晶である請求項１〜４のいずれか１つに記載の表示装置。」
　
第３　引用刊行物に記載された発明
　前置審査における拒絶の理由に引用された特開平５−３５１９７号公報（以下「刊行物１」という。）には、図面とともに、「【０００１】【産業上の利用分野】本発明は、表示制御装置に関し、詳しくは、例えば強誘電性液晶を表示更新のための動作媒体として用い電界の印加等によって更新された表示状態を保持可能な表示素子を具えた表示装置のための表示制御装置に関する。」、「【０００５】【発明が解決しようとする課題】本発明は、ＦＬＣＤ等における表示状態の保存性を有効に利用し、ＦＬＣＤ等の表示パネルの長寿命化を実現できる表示制御装置を提供することを目的とする。」、「【０００９】（１）概要図１は本発明の第１実施例の概要を示す説明図である。ここで、ＦＬＣ素子を用いて構成した表示器（ＦＬＣパネル）１に対してホスト装置をなす表示データ供給手段（例えば図２のような情報処理システムを用いることができるが、これに限られるものではない）２は、データ表示、消去、更新等にあたってビデオメモリ３をアクセスする。表示駆動制御手段４では、ビデオメモリ３の内容について、表示器駆動手段５を介しＦＬＣパネル１を駆動（部分書換えまたはリフレッシュ）する。本例の特徴の一つは、アクセス監視手段６を設けて表示データ供給手段２によるビデオメモリ３の非アクセス時間を監視し、ある時間以上のアクセスがなければ、すなわち現在の表示内容に変更がなければ、水平同期信号ＨＳＹＮＣの供給を停止して表示駆動制御手段４により表示器駆動手段５に対しＦＬＣパネル１の駆動を禁止させることである。ＦＬＣ素子は、前述のように、駆動を停止しても一方の配向状態を保持しているので、ＦＬＣパネル１上での表示データの消失等の不都合は生じず、いわゆるバックライト等の光源さえ確保されていればオペレータの視認性も損われることはない。【００１０】そのようにＦＬＣパネル１の駆動を停止する状態（以下その状態をスタティックモードという）を得ることで、連続的駆動によるＦＬＣ素子の劣化を遅らせ、ＦＬＣパネルの長寿命化を達成でき、かつ消費電力を低減できる訳である。また、スタティックモードではリフレッシュによるちらつき等も生じないために、オペレータの目の疲労度も低下できることが期待される。」、「【００１４】（３）ＦＬＣＤインターフェース　図３は本発明表示制御装置の一実施例としてのＦＬＣＤインターフェース２７の構成例を示すブロック図である。【００１５】図において、３１はアドレスバスドライバ、３２はコントロールバスドライバ、３３、４３、４４はデータバスドライバである。ＣＰＵ１１からのアドレスデータは、アドレスバスドライバ３１から、メモリコントローラ４０およびアドレスセレクタ３５の一方の入力部に与えられるとともに、第１のスイッチＳ１の切り換えによってＦＩＦＯ形態のメモリ３６または３７に選択的に与えられて記憶される。すなわち、これらメモリ３６および３７（以下、それぞれＦＩＦＯ（Ａ）およびＦＩＦＯ（Ｂ）ともいう）は、書き込んだ順番にデータを読み出すＦＩＦＯ（Ｆｉｒｓｔ Ｉｎ Ｆｉｒｓｔ Ｏｕｔ）メモリであり、これらのメモリ３６および３７に書き込まれたアドレスデータは、第２のスイッチＳ２の切り換えによって選択的に読み出される。【００１６】これらのメモリ３６または３７から読み出されたアドレスデータと、後述するアドレスカウンタ３８からのアドレスデータは、第３のスイッチＳ３の切り換えによって選択的にアドレスセレクタ３５の他方の入力部に与えられる。アドレスカウンタ３８は、画面全体をライン順次にリフレッシュするためのアドレスデータを発生するものであり、そのアドレスデータの発生タイミングは同期制御回路３９によって制御される。この同期制御回路３９は、前記スイッチＳ１、Ｓ２およびＳ３の切り換え制御信号や後述するメモリコントローラ４０へのデータトランスファ要求信号をも発生する。【００１７】ＣＰＵ１１からのコントロール信号は、コントロールバスドライバ３２からメモリコントローラ４０に与えられ、そのメモリコントローラ４０は、サンプリングカウンタ３４と、アドレスセレクタ１０の制御信号、および後述するビデオメモリ４１の制御信号を発生する。サンプリングカウンタ３４は、メモリコントローラ４０からの歩進信号に基づいて計数動作を行い、同期制御回路３９の制御信号を発生する。また、アドレスセレクタ３５は、メモリコントローラ４０からの制御信号に基づいて、当該アドレスセレクタ３５の入力部に与えられる２つのアドレスデータの一方を選択してビデオメモリ４１に与える。【００１８】ビデオメモリ４１は表示データを記憶するものであり、デュアルポートのＤＲＡＭ（ダイナミックＲＡＭ）で構成されていて、前記データバスドライバ３３を介して表示データの書き込みと読み出しを行う。ビデオメモリ４１に書き込まれた表示データは、ドライバ４２を介してＦＬＣＤ２６に転送されて表示される。また、そのドライバ４２は、同期制御回路３９からの同期信号をＦＬＣＤ２６に与える。ＦＬＣＤ２６には、ＦＬＣの温度を検出する温度センサ２６ａが組み込まれている。【００１９】また、ＣＰＵ１１からの後述の設定データは、データバスドライバ４３を介して同期制御回路３９に与えられる。さらに、温度センサ２６ａの出力信号はデータバスドライバ４４を介してＣＰＵ１１に転送される。４６はタイマであり、本例ではバスドライバ４７を介してＣＰＵ１１によりその計時時間を設定可能なものとした。そして、このタイマ４６はＣＰＵ１１によりアクセスされる度にメモリコントローラ４０が発生するアクセス信号Ａによりリセット／リスタートされ、当該アクセス信号入力時より設定時間を計数したときにタイムアップ信号Ｄを発生する。【００２０】本例ではＦＬＣＤインタフェースが水平同期信号ＨＳＹＮＣをＦＬＣＤに向けて送出するようにするとともに、当該ＨＳＹＮＣ信号を用いてスタティックモードへの移行が行われるようにする。すなわち、本例におけるＦＬＣＤはホストないしＦＬＣＤインタフェースに対して公知のＬＣＤやＣＲＴと同様ＨＳＹＮＣ信号を受取って動作する受動デバイスとして機能させ、その機能の一部を用いてＦＬＣパネルの非駆動状態が得られるようにする。【００２１】本例における同期制御回路３９は、さらにＨＳＹＮＣ信号を発生するための発振器、分周器等を具備し、当該ＨＳＹＮＣ信号をドライバ４２を介してＦＬＣＤ２６に供給する。そして、タイマ４６が発生するタイムアップ信号Ｄに応じ、ＨＳＹＮＣ信号の供給を停止するように構成されている。このＨＳＹＮＣ信号停止のためには、信号Ｄに応じてＨＳＹＮＣ信号が消勢されるような論理ゲートを付加すればよい。」、「【００３４】（５）ＦＬＣＤ２６の構成図５はＦＬＣＤ２６の構成例を示す。ここで、２６１はＦＬＣパネルであり、例えば特開昭６３−２４３９１９号に開示されたもののように、間にＦＬＣを封入した偏向子付きの上下一対のガラス基板、および上下のガラス基板上に設けた透明電極配線群等から成っている。上部ガラス基板上の配線群および下部ガラス基板上の配線群の配線方向は互いに直交する方向であり、表示画面の大きさ、解像度に応じて配線数は適宜定めることができる。本例では４ｐｅｌの密度にて水平走査方向に９６０本、垂直走査方向に１３１２本の配線を設けており、配線の交叉部分に生じさせる電界の極性および強さによってその部分でのＦＬＣの配向状態を変えることができるので、本例のＦＬＣパネルの表示画素数は１３１２×９６０となる。【００３５】本例では水平走査方向に延在する１３１２本の配線群をコモン側配線と称し、これらに上記した順次のラインアドレスが割当てられる。また、垂直走査方向に延在する９６０本の配線群をセグメント側配線と称し、あるコモン側配線（ライン）を選択してこれを駆動するときにセグメント側配線群を駆動することにより当該ラインの表示、消去、更新が行われる。【００３６】図５において、２６３および２６５は、それぞれ、コモン側配線群およびセグメント側配線を駆動するための駆動部（それぞれコモン駆動部、セグメント駆動部という）であり、表示データに応じて適切な波形の電圧信号にて各配線を駆動する。その波形等については、例えば特開昭６３−２４３９１９号に開示されている。【００３７】表示データ信号は、表示ラインに関し、そのラインアドレスを示す部分とそれに続くデータ群（９６０ドット分のデータ）とから構成されるシリアル信号Ａｄｄｒｅｓｓ／Ｄａｔａとしてビデオメモリ４１から入力される。また、当該信号のアドレス部分とデータ群とを識別するために、アドレス部分でＨ、データ群部分でＬとなる識別信号ＡＨ／ＤＬが供給される。データ変換部１２６７では当該識別信号ＡＨ／ＤＬに基づいて表示データ信号Ａｄｄｒｅｓｓ／Ｄａｔａからアドレス（ラインアドレス）Ａｄｒｅｓｓおよびデータ群Ｄａｔａを分離し、それぞれコモン駆動部２６３およびセグメント駆動部２６５にセットする。また、水平走査信号ＨＳＹＮＣは、このデータ変換部２６７に対してＦＬＣＤインタフェース側より送出されてくる。【００３８】さらに、１２６９は制御部であり、データ変換部１２６７に対する水平同期信号の非入力時にはコモン駆動部２６３およびセグメント駆動部２６５に対しＦＬＣパネルの駆動を停止させる。これによりスタティックモードに移行する。この駆動停止のためには種々の方式が考えられるが、例えば両駆動部に対しその出力電圧を一定値に保持させるようにすることができる。この場合コモンラインとセグメントラインとの間に電位差が無くなるので、ＦＬＣ素子は駆動されず、従って本発明の主目的である長寿命化が達成できる。また、そのときの出力電圧を低いものとすれば、省電力化が達成���きる。そして、このように駆動を止めても、ＦＬＣ素子の特性により配向状態には変化が生じないので、表示機能が阻害されることはない。むしろ、非駆動状態とすることで表示の更新（リフレッシュ）も行われないために、ちらつきのない表示状態が得られることになる。」、「【００４３】図７および図８は、それぞれ、本例でのスタティックモードでの動作を説明するためのフローチャートおよびタイミングチャートである。すなわち、ＣＰＵ１１から表示領域内へのアクセスがある場合には（動作ＯＰ１１）、前回のアクセス時からの計時動作の停止、現在からの計時開始、およびスタティックモード移行のための信号Ｄの消勢、およびＨＳＹＮＣ発生再開を行う（動作ＯＰ１３）。【００４４】逆に、アクセスがなければ計時動作を続行させる（動作ＯＰ１５）。そして図６のステップＳ３と同様に設定された時間Ｔが経過した場合には（動作ＯＰ１７）、スタティックモードへの移行のための信号Ｄを付勢して、ＨＳＹＮＣ信号の発生を停止させる（動作ＯＰ１９）。【００４５】これらの動作は具体的には図３におけるメモリコントローラ４０、タイマ４６、および同期制御回路３９の動作として行われるものである。すなわち、メモリコントローラ４０はＣＰＵ１１によるビデオメモリ４１のアクセスをタイマ４６に通知し、タイマ４６は当該通知に応じて計時している時間のリセットおよび計時動作のリスタートを行い、設定時間のタイムアップとともにこれを信号Ｄとして同期制御回路３９に通知する。同期制御回路３９ではこれに応じてＨＳＹＮＣ信号のＦＬＣＤ２６への供給を停止し、さらにこれに伴ってＦＬＣパネル２６の駆動が停止される。そして、スタティックモードであってもＣＰＵ１１によるビデオメモリ４１のアクセスがあれば、タイマのリセット／リスタートが行われて信号Ｄが消勢され、ＨＳＹＮＣ信号の供給が再開されてＦＬＣＤ２６のスタティックモードが解除されるのは勿論である。」、「【００４７】【発明の効果】以上説明したように、本発明によれば、ＦＬＣＤ等の表示パネルにおける表示の保存性を有効に利用し、表示の更新が生じない場合には表示パネルの駆動を停止するようにしたので、表示パネルの長寿命化を実現できる。」等の記載がされている。
　
第４　当審の判断
　本件出願の請求項１に係る発明（以下「本願発明」という。）と刊行物１に記載された発明とを対比すると、刊行物１に記載されたコモン側配線、セグメント側配線は、それぞれ本願発明の「走査電極群」、「情報電極群」に相当し、刊行物１に記載された１３１２×９６０の画素数を有するＦＬＣパネル（１、２６１）は、本願発明の「マトリクス状に画素を構成する液晶表示パネル」に相当する。
　刊行物１に記載されたバックライト（段落【０００９】）は、本願発明の「バックライト」に相当する。
　刊行物１に記載されたビデオメモリ（３、４１）、タイマ（４６）、タイムアップ信号（Ｄ）は、それぞれ本願発明の「画像情報記憶手段」、「変更検出手段」、「通知信号」に相当し、刊行物１に記載された表示器駆動手段（５、２６３と２６５）、表示駆動制御手段（４、１２６９）は、それぞれ本願発明の「駆動手段」、「駆動制御手段」に相当する。
　そうすると、本願発明は、刊行物１に記載された発明と次の一致点で一致し、次の相違点で相違する。
　一致点　本願発明と刊行物１に記載された発明とが共に「走査電極群と情報電極群によってマトリクス状に画素を構成する液晶表示パネルと、該液晶表示パネルを背面から照射するバックライトと、該液晶表示パネルで表示すべき画像情報を記憶する画像情報記憶手段と、該画像情報記憶手段に記憶されている画像情報が変更されたことを検出する変更検出手段と、該画像情報記憶手段に記憶されている画像情報に基づき走査電極群に走査信号を印加し、また、情報電極群に情報信号を印加する駆動手段および該駆動手段を制御する駆動制御手段と」を具備し、「該変更検出手段」は、「設定された画像情報変更の検出時間に応じて」、「通知信号」を「該駆動制御手段」へ出力し、「該駆動制御手段」は、前記「通知信号に基づいて、該液晶表示パネルへの走査信号および情報信号の印加を停止」させる「表示装置」である点。
　相違点　本願発明では検出時間が「それぞれ異なって」設定され、「異なる」通知信号を駆動制御手段と「バックライトコントローラ」へ出力し、前記「異なる」通知信号に基いて「バックライトコントローラが前記バックライトを消灯させる」のに対し、刊行物１にはこのような記載がされていない点。
　この相違点について検討する。
　前置審査の拒絶の理由で引用した特開昭５７−１４２６９６号公報（以下「刊行物２」という。）、特開平４−１３１７９号公報（以下「刊行物３」という。）、特開平５−１８８８６９号公報（以下「刊行物４」という。）には、液晶表示装置において情報入力装置から入力後所定時間内及び外部から情報受信後の所定時間内だけ液晶表示装置付属の光源を点灯させて消費電力量を大幅に低減すること（刊行物２）、表示制御装置においてメモリへの書き込み信号を検出してリセットし、所定時間をカウントした場合カウンタ信号を出力するカウンタを備え、カウンタ信号により表示画面のバックライトをオフする制御信号を出力して無駄な電力の消費を防止すること（刊行物３）、バックライト付きの液晶表示パネル及びバックライトの明るさを調整するインバータ回路を備えた可搬式情報処理装置において所定時間を超えてアクセスがないとき前記インバータ回路の出力を１段階減少させ、このような所定時間を超えたアクセス無しの状態が繰り返すとき前記インバータ回路の段階的出力減少を繰り返し、前記の繰り返し回数が所定時間を超えたときに前記バックライトをオフにして低消費電力化を図ること（刊行物４）が示されており、消費電力を低減するために所定時間を設定しアクセスの所定時間後にバックライトを制御してバックライトを消灯させることは周知である。また、このようなバックライトの消灯をディスプレイの駆動とは別に行うことも、例えば特開平３−２２６７１６号公報、特開平３−２３３５１６号公報にも記載され、周知である。
　そして、刊行物１には、上記のように、「ある時間以上のアクセスがなければ、すなわち現在の表示内容に変更がなければ、水平同期信号ＨＳＹＮＣの供給を停止して表示駆動制御手段４により表示器駆動手段５に対しＦＬＣパネル１の駆動を禁止させることである。ＦＬＣ素子は、前述のように、駆動を停止しても一方の配向状態を保持しているので、ＦＬＣパネル１上での表示データの消失等の不都合は生じず、いわゆるバックライト等の光源さえ確保されていればオペレータの視認性も損われることはない。」（段落【０００９】）との記載がされており、ＦＬＣパネルの駆動時間とバックライトの駆動時間を異ならせることが示されているから、上記周知の技術手段を刊行物１に記載された発明に適用して、アクセスの所定時間後にバックライトを制御してバックライトを消灯させるようにし、この所定時間をＦＬＣパネルの駆動停止の時間と異なるものとすることは当業者が適宜に行い得ることである。
　本願発明の奏する効果についてみても、刊行物１に記載された発明及び周知の技術手段から予測しうる範囲内のものであり、格別のものではない。
　したがって、本願発明は、当業者が刊行物１に記載された発明及び周知の技術手段に基いて容易に発明をすることができたものである。
　なお、請求人は、意見書で、本願発明は簡略な構成で駆動の停止・再開が頻繁に行われてもバックライトの動作は駆動の動作と非同期とすることが可能となり、その結果より大きな電力を消費するバックライトの点灯・消灯の動作を少なくすることができ、消費電力を低減できるという格別の効果をもたらすと主張する。
　しかしながら、本件出願の請求項１には、「それぞれ異なって設定された画像情報変更の検出時間」との記載はされているが、この複数の検出時間の大小関係、液晶表示パネルへの信号の印加の停止とバックライトの消灯との関係については何ら限定がされておらず、請求人の主張は、請求項１の記載に基づくものではなく、根拠がない。
　
第５　まとめ
　以上のとおりであるから、本件出願の請求項１に係る発明は特許法２９条２項の規定により特許を受けることができないものであり、その余の請求項に係る発明について判断するまでもなく、本件出願は、拒絶をすべきものである。
　よって、結論のとおり審決する。